(57)【要約】【課題】湖沼、池、河川等の泥水や河川工事、下水工事等の各種建設土木工事等で発生する汚水等の懸濁水を回収し、ろ過することができ、懸濁物質を分離回収してろ過水を農業用水や工業用水等として有効利用できると共に、長期間に渡って継続運転が可能でろ過性能の安定性、装置の耐久性、メンテナンス性に優れたろ過装置の提供。【解決手段】懸濁水が貯留されるろ過槽と、ろ過槽の底部内側に配設された噴射ノズル部から懸濁水を供給する懸濁水供給部と、ろ過槽内に配設され外部表面側からろ過された懸濁水のろ過水が中心孔側から排出される円板状のセラミックフィルタと、セラミックフィルタの中心孔に挿通固定されセラミックフィルタでろ過されたろ過水が排出される中空管と、中空管に接続されろ過水をろ過槽の外部に排出する排水部と、ろ過槽の底部内側に摺動自在に配設されたスクレーパを有する懸濁物質回収機構と、を備えている。【選択図】図１
2006305538.tif 000002
【特許請求の範囲】
【請求項１】
懸濁水が貯留されるろ過槽と、前記ろ過槽の底部内側に配設された噴射ノズル部から前記懸濁水を供給する懸濁水供給部と、前記ろ過槽内に配設され外部表面側からろ過された前記懸濁水のろ過水が中心孔側から排出される円板状のセラミックフィルタと、前記セラミックフィルタの前記中心孔に挿通固定され前記セラミックフィルタでろ過された前記ろ過水が排出される中空管と、前記中空管に接続され前記ろ過水を前記ろ過槽の外部に排出する排水部と、前記ろ過槽の底部内側に摺動自在に配設されたスクレーパを有する懸濁物質回収機構と、を備えたことを特徴とするろ過装置。
【請求項２】
前記ろ過槽の底部に配設された排泥管と、前記排泥管の内部に直径方向に渡設された攪拌部材と、前記攪拌部材に連結され前記攪拌部材を回動させる回動駆動部と、を有する排泥部を備えたことを特徴とする請求項１に記載のろ過装置。
【請求項３】
前記懸濁水供給部が、前記噴射ノズル部が配設された懸濁水貯留タンクと、前記懸濁水貯留タンクを前記ろ過槽の長手方向と平行に摺動させる噴射ノズル摺動機構を備えたことを特徴とする請求項１又は２に記載のろ過装置。
【請求項４】
前記懸濁物質回収機構が、前記噴射ノズル部の下方に配設された摺動部と、前記摺動部に前進方向若しくは後退方向の一方向のみに回動自在に軸支され下端側が前記ろ過槽の底部内面に近接して垂設された前記スクレーパと、前記摺動部を前記ろ過槽の長手方向と平行に摺動させる摺動駆動部と、を備えたことを特徴とする請求項１乃至３の内いずれか１項に記載のろ過装置。
【請求項５】
前記中空管に接続された逆洗ポンプを備えたことを特徴とする請求項１乃至４の内いずれか１項に記載のろ過装置。
【発明の詳細な説明】
【技術分野】
【０００１】  本発明は、湖沼、池、河川等の泥水や河川工事、下水工事等の各種建設土木工事等で発生する汚水等の懸濁水を回収し、ろ過することにより、ろ過水を農業用水や工業用水等として有効利用できると共に、懸濁物質を分離回収することが可能なろ過装置に関する。
【背景技術】
【０００２】  従来、河川工事、下水工事、道路工事、トンネル内の壁面工事等の各種建設土木工事等において、例えば道路カッター等から排出される懸濁排水はそのまま周囲に廃棄したり、貯留水槽に溜め浄化処理場等に搬送し浄化がなされたりしていた。
懸濁排水を浄化させるために固液分離装置等を組み合わせて浄化処理が行なわれており、このような懸濁排水の浄化処理に関して、例えば以下のような技術のものが知られている。
（特許文献１）には、「濁水・泥水を貯留する貯留槽と、前記濁水・泥水に凝集剤を投入する凝集剤投入手段と、前記凝集剤と前記濁水・泥水を混合してフロックを生成する混合装置と、前記混合装置で生成された前記フロックを水と分離するろ過装置とを備えた濁水・泥水処理装置」が記載されている。
（特許文献２）には、「濁水を通過させる流路部内の水流方向に沿って、直流電源の陽極及び陰極に夫々接続した陽極電極板と陰極電極板とを交互に配列して電極板群を形成してなる濁水処理装置」が記載されている。
（特許文献３）には、「微生物性汚泥貯槽の汚泥液面上に設けられた回転軸に中心部が固定され、下部が汚泥に浸漬される回転円板体と、該円板体の上部にて該円板体の中心部から円周方向に向けて該円板体の両側表面に当接される掻取り装置及び搾液ロールと、濃縮汚泥又は搾液を系外に搬出する排出溝を有する微生物性汚泥濃縮装置」が記載されている。
【特許文献１】  特開２００２−２１９４７１号公報
【特許文献２】  特開平１１−２２６５７７号公報
【特許文献３】  特公昭６１−５３０９６号公報
【発明の開示】
【発明が解決しようとする課題】
【０００３】  しかしながら、上記従来の技術は以下のような課題を有していた。
（１）（特許文献１）に記載の凝集剤投入手段を有する濁水・泥水処理装置は、硫酸アルミニウム等の凝集剤を懸濁排水に加えて細かい粒子を凝集させフロック化させるので、汚泥の容積が増え排出時の作業性に欠け、この凝集剤が拡散して周囲の環境を汚染しやすい上に、高濃度の濁水には効果がなく、薬剤のコストがかかる等、経済性にも欠けるという課題があった。
（２）フロックと水とを分離するろ過装置が多孔質体からなり、濁水の処理に伴ってその網目体の表面に固形分が厚く付着していくために、濁水のろ過効率が次第に低下して、大量処理が困難になるとともにメンテナンスが煩雑で作業性に欠けるという課題があった。
（３）（特許文献２）に記載の電極板を用いて粒子を凝集させる濁水処理装置では、凝集させた処理液から固形分を分離する構成が呈示されていないので、電極板に流す濁水の水量などをろ過装置と連動させて適切に調整することが困難で、濁水処理の作業性に欠けるという課題があった。
（４）（特許文献３）に記載の微生物性汚泥濃縮装置は、円板体のろ過層の毛管現象により水分を吸引し、ろ過層表面に濃縮汚泥を付着させるものなので、微生物性汚泥貯槽の底に汚泥が沈澱し易く、ろ過脱水効率が悪いという課題を有していた。また、排出溝から系外に排出されたろ過水を回収或いは循環させる構造を有していないので、ろ過水を有効利用することができず、省資源性に欠けるという課題を有していた。掻取り装置により掻取られた濃縮汚泥を排出溝から系外に掻出す手段を有していないので、排出溝の内部に濃縮汚泥が溜まってしまい系外に排出できず信頼性に欠けるという課題を有していた。【０００４】  本発明は上記課題を解決するためになされたものであり、湖沼、池、河川等の泥水や河川工事、下水工事等の各種建設土木工事等で発生する汚水等の懸濁水を回収し、ろ過することができ、懸濁物質を分離回収してろ過水を農業用水や工業用水等として有効利用できると共に、長期間に渡って継続運転が可能でろ過性能の安定性、装置の耐久性、メンテナンス性に優れたろ過装置を提供することを目的とする。
【課題を解決するための手段】
【０００５】  上記課題を解決するために本発明のろ過装置は、以下の構成を有している。
請求項１に記載のろ過装置は、懸濁水が貯留されるろ過槽と、前記ろ過槽の底部内側に配設された噴射ノズル部から前記懸濁水を供給する懸濁水供給部と、前記ろ過槽内に配設され外部表面側からろ過された前記懸濁水のろ過水が中心孔側から排出される円板状のセラミックフィルタと、前記セラミックフィルタの前記中心孔に挿通固定され前記セラミックフィルタでろ過された前記ろ過水が排出される中空管と、前記中空管に接続され前記ろ過水を前記ろ過槽の外部に排出する排水部と、前記ろ過槽の底部内側に摺動自在に配設されたスクレーパを有する懸濁物質回収機構と、を備えた構成を有している。
この構成により、以下のような作用を有する。
（１）ろ過槽の底部内側に配設された噴射ノズル部から懸濁水を供給する懸濁水供給部を有するので、懸濁水をろ過槽の内部に噴射してろ過槽に貯留された懸濁水を攪拌することができ、懸濁物質を水と混合、分散させ、セラミックフィルタの表面で凝集させてろ過することができる。
（２）円板状のセラミックフィルタを用いることにより、外部表面側からろ過された懸濁水のろ過水を中心孔側から排出することができるので、ろ過面積が広くコンパクトでろ過性能に優れ、ろ過槽内のスペースが狭い場合でも複数のセラミックフィルタを離間して配設することができ、フィルタ面積を有効に利用して、効率的に懸濁水を処理できる。
（３）セラミックフィルタが円板状に形成され、セラミックフィルタの中心孔に挿通固定された中空管からろ過水を排出することができるので、セラミックフィルタの外部表面全面で均等にろ過を行うことができ、ろ過効率に優れる。
（４）セラミックフィルタの外部表面側でろ過を行うので、逆洗等を行うことにより、セラミックフィルタの外部表面に付着した懸濁物質等の固形分を容易に除去することができ、ろ過条件を略一定に維持して継続的に運転を行うことが可能になる。
（５）中空管に接続されろ過水をろ過槽の外部に排出する排水部を有するので、排水部を清水槽に接続してろ過水を貯留することができ、ろ過水の有効利用を図ることができる。
（６）懸濁物質回収機構が、ろ過槽の底部内側に摺動自在に配設されたスクレーパを有するので、ろ過槽の底部に堆積した懸濁物質を所定の箇所に掻き集めることができ、ろ過槽内の懸濁物質を確実に効率よく回収することができる。【０００６】  ここで、ろ過槽はステンレス等の金属製で形成された加圧容器であり、ろ過槽の内部に満たされた懸濁水を必要な圧力に加圧してろ過を行う。ろ過槽内部に空気がない状態とすることで圧力変動を防止でき、ろ過性能を一定に保つことができるためである。ろ過槽の上部に空気抜き弁を配設した場合、簡便かつ確実にろ過槽内から空気を抜くことができ作業性、信頼性に優れる。
複数の円板状のセラミックフィルタは互いに離間して中空管に挿通固定され、ろ過槽内に横置きされる。セラミックフィルタは等間隔に配設することが好ましいが、中空管を要所で分割して形成した場合は、その連結部分ではセラミックフィルタの間隔が不等間隔になることがある。セラミックフィルタが配設された中空管を１つのユニットとし、複数のユニットを連結する構造とした場合、ユニット毎の取扱いが容易で組立及び分解の作業性に優れると共に、ろ過槽の容量に応じてユニットの数を選択して組込むことができるので汎用性に優れる。【０００７】  セラミックフィルタは、炭化ケイ素、窒化ケイ素、アルミナ、ジルコニア、マグネシア、サイアロン、コージライト、ムライト、酸化チタン等の内のいずれか一種または二種以上の混合物で製造された多孔質体で形成することが好ましい。外周面に１以上の取水孔が穿設された中空管をセラミックフィルタの中心孔に挿通固定し、中空管の取水孔とセラミックフィルタの中心孔を水密に連通することにより、セラミックフィルタの外部表面側でろ過されたろ過水を中空管から取出すことができる。尚、セラミックフィルタの内部に放射状の通水路を形成した場合、中心孔から効率的にろ過水を取出すことができる。また、中空管から逆に洗浄水を流して逆洗を行う時には洗浄水が速やかに通水路を通過し、セラミックフィルタ全面に行き渡るので効率よく確実な逆洗を行うことができ、略一定のろ過性能を維持することが可能でメンテナンス性に優れる。特に、高い圧力をかけて送液した場合でも、破損等が発生し難く、耐久性、長寿命性に優れる。【０００８】  隣接するセラミックフィルタの間には緩衝材を配設することが好ましい。これにより、セラミックフィルタの間隔を全面に渡って略一定に保つことができ、セラミックフィルタ毎のろ過性能のばらつきを低減できる。また、ろ過装置の運搬時等におけるセラミックフィルタの振動を低減でき、破損等の発生を防止できる。緩衝材はセラミックフィルタの外周部に２乃至６箇所、設けることが好ましい。緩衝材の設置箇所が１箇所だけでは片持ち状態となり、セラミックフィルタの間隔を保持することが困難となる傾向があり、６箇所より多くなるにつれ部品点数が増加し、生産性が低下し易くなる傾向があり、いずれも好ましくない。緩衝材としては、合成ゴム製や合成樹脂製等の弾性体が好適に用いられる。
また、懸濁水の温度や粘度にもよるが、セラミックフィルタの間隔は６ｍｍ〜１２ｍｍが好ましい。セラミックフィルタの間隔が６ｍｍより狭くなるにつれ隙間に懸濁水が入り難くなってろ過性能が低下し易くなる傾向があり、１２ｍｍより広くなるにつれ噴射ノズル部からの噴流の力がセラミックフィルタの表面に伝わり難く、また懸濁水の攪拌作用が低下し易くなる傾向があり、いずれも好ましくない。【０００９】  ろ過槽の形状は略円筒形状に形成することが好ましい。セラミックフィルタの外周とろ過槽の内周との差を小さくすることにより、ろ過槽に貯留された懸濁水のほぼ全体をセラミックフィルタ表面と接触させることができ、ろ過効率を向上させることができる。また、ろ過槽の縦断面形状が略円形であることにより、淀みなどが発生し難く、噴射ノズル部から噴射される懸濁水で、貯留された懸濁水全体を効率よく攪拌することができるので、懸濁物質を水と略均一に混合、分散させることができ、ろ過効率の安定性に優れる。【００１０】  懸濁水供給部の上流側には網状のカゴ体やフィルタ等を配設することが好ましい。予め大きなゴミや粒子の大きな懸濁物質等を捕捉することができ、噴射ノズル部の詰まり等を防止できメンテナンス性、信頼性に優れる。
懸濁水供給部は、ろ過槽の内部に懸濁水を供給する供給管と、供給管に接続された複数の噴射ノズル部を有する。噴射ノズル部はろ過槽の幅方向の略中央で長手方向に複数、配置するのが好ましい。噴射ノズル部をろ過槽の幅方向の略中央に配置することにより、底部から噴射される懸濁水がろ過槽の上面で左右に分かれ、ろ過槽の内周に沿うようにして底部まで移動するので、貯留された懸濁水を満遍なく攪拌することができ、懸濁物質の混合、分散安定性を向上させることができる。また、噴射ノズル部を長手方向に複数、配置することにより、ろ過槽内の要所で懸濁水を攪拌でき、ろ過槽内の懸濁水全体を略均一な混合、分散状態とすることができるので、ろ過条件を略一定に維持して継続的に運転を行うことができ信頼性に優れる。
尚、各々の噴射ノズル部にろ過槽の幅方向に複数のノズルを穿設した場合、ろ過槽の縦断面全体に渡って懸濁水を噴射することができ、懸濁水の攪拌効率を向上できると共に、一部のノズルに目詰まり等の不具合が発生しても他のノズルから懸濁水を噴射、供給することができ信頼性に優れる。【００１１】  懸濁物質回収機構としては、スクレーパをろ過槽の長手方向と平行に摺動させるものが好適に用いられる。これにより、ろ過槽の底部で長手方向の端部や中央部等に配設された懸濁物質貯留部や排泥部等に懸濁物質を掻き集めることができる。尚、スクレーパの下端側はろ過槽の内周面に沿う形に形成することが好ましい。これにより、懸濁物質の掻き取り残しがなく、確実に懸濁物質を掻き集めることができる。また、スクレーパの枚数は懸濁物質貯留部や排泥部等の数や位置に応じて適宜、選択することができる。１枚のスクレーパをろ過槽の全長に渡って往復動させてもよいし、複数枚のスクレーパで掻き集める領域を分担して摺動距離を短くしてもよい。【００１２】  請求項２に記載の発明は、請求項１に記載のろ過装置であって、前記ろ過槽の底部に配設された排泥管と、前記排泥管の内部に直径方向に渡設された攪拌部材と、前記攪拌部材に連結され前記攪拌部材を回動させる回動駆動部と、を有する排泥部を備えた構成を有している。
この構成により、請求項１の作用に加え、以下の作用を有する。
（１）排泥部が、ろ過槽の底部に配設された排泥管を有するので、ろ過槽の底部に堆積した懸濁物質を確実にろ過槽の外部に排出することができる。
（２）排泥部が、排泥管の内部に直径方向に渡設された攪拌部材を有するので、攪拌部材に連結した回動駆動部で攪拌部材を回動させることにより、排泥管に溜まった懸濁物質をほぐして固化を防止でき、排泥管の詰まりが発生せずメンテナンス性に優れる。【００１３】  ここで、攪拌部材としては線材の両端軸支部の間にコ字形、く字形、波形、円弧状等の屈曲部を１つ又は２つ以上組合せて形成したものが好適に用いられる。線材を用いることにより抵抗を低減することができ、確実に懸濁物質を攪拌してほぐすことができる。回動駆動部としては正逆回転可能なモータが好ましい。一方向への回転が不能になった場合、逆方向へ回転させることにより動作を回復させることができるためである。
排泥部の下流側に箱、麻袋、プラスチック製のバッグ等を配置又は連設することにより、溜まった塊状の懸濁物質を容易に外部に搬出し、廃棄処理できる。【００１４】  請求項３に記載の発明は、請求項１又は２に記載のろ過装置であって、前記懸濁水供給部が、前記噴射ノズル部が配設された懸濁水貯留タンクと、前記懸濁水貯留タンクを前記ろ過槽の長手方向と平行に摺動させる噴射ノズル摺動機構を備えた構成を有している。
この構成により、請求項１又は２の作用に加え、以下の作用を有する。
（１）懸濁水供給部が、噴射ノズル部が配設された懸濁水貯留タンクをろ過槽の長手方向と平行に摺動させる噴射ノズル摺動機構を有するので、噴射ノズル部の位置をずらしながら懸濁水を噴射、供給することができ、少ないノズルで効果的にろ過槽内部の懸濁水を攪拌して均一なろ過性能を確保することができる。
（２）逆洗時に噴射ノズル部を摺動させることにより、噴射ノズル部から噴射される懸濁水の力でセラミックフィルタの外部表面で凝集した粘土状の懸濁物質が膜状に剥がれ落ち、ろ過性能の回復を図ることができる。【００１５】  ここで、噴射ノズル摺動機構としては、チェーンとスプロケットを組合せたものが好適に用いられる。具体的には、ろ過槽の長手方向の両端部にスプロケットを回動自在に軸支し、スプロケットに巻回したチェーンの両端部を懸濁水貯留タンクの両端にそれぞれ接続すればよい。モータでいずれか一方のスプロケットを正逆回転させることにより、噴射ノズル部を摺動させることができる。尚、ろ過槽の底部や側部に懸濁水貯留タンクを案内するガイド部を設けた場合、摺動動作が安定し信頼性に優れる。【００１６】  請求項４に記載の発明は、請求項１乃至３の内いずれか１項に記載のろ過装置であって、前記懸濁物質回収機構が、前記噴射ノズル部の下方に配設された摺動部と、前記摺動部に前進方向若しくは後退方向の一方向のみに回動自在に軸支され下端側が前記ろ過槽の底部内面に近接して垂設された前記スクレーパと、前記摺動部を前記ろ過槽の長手方向と平行に摺動させる摺動駆動部と、を備えた構成を有している。
この構成により、請求項１乃至３の内いずれか１項の作用に加え、以下の作用を有する。
（１）懸濁物質回収機構の摺動部が噴射ノズル部の下方に配設されているので、摺動駆動部により摺動部を摺動させても噴射ノズル部の動作の妨げになることがなく懸濁水の供給と、スクレーパによる懸濁物質の回収を平行して行うことができる。
（２）スクレーパの下端側が、ろ過槽の底部内面に近接して配設されているので、ろ過槽の底部に堆積した僅かな懸濁物質でも確実に掻き集めて回収することができる。
（３）スクレーパが摺動部の前進方向若しくは後退方向の一方向のみに回動自在に軸支され垂設されているので、摺動部の後退時又は前進時にはスクレーパの回動を防止でき、確実に懸濁物質を掻き集めて回収することができる。【００１７】  ここで、摺動駆動部には正逆回転可能なモータが好適に用いられる。噴射ノズル摺動機構と同様に、ろ過槽の長手方向の両端部にスプロケットを回動自在に軸支し、スプロケットに巻回したチェーンの両端部を懸濁物質回収機構の摺動部の両端にそれぞれ接続すれば、モータでいずれか一方のスプロケットを正逆回転させることにより、摺動部をろ過槽の長手方向と平行に摺動させることができる。尚、この摺動駆動部は懸濁物質回収機構に専用に設けてもよいし、前述の噴射ノズル摺動機構の駆動部と兼用してもよい。また、前述の懸濁水貯留タンクに懸濁物質回収機構の摺動部を配設するか、懸濁水貯留タンクを摺動部として利用した場合、噴射ノズル摺動機構を用いて懸濁物質回収機構のスクレーパを摺動させることができる。これにより、噴射ノズル摺動機構と懸濁物質回収機構の主要部を兼用することができ、省スペース性、実用性に優れる。
スクレーパを摺動部の前進方向若しくは後退方向の一方向のみに回動させるためには、スクレーパの表面側又は裏面側のいずれか一方に回動ストッパー部を配設するか、スクレーパの表面側又は裏面側に軸支部を設けスクレーパの上端面が摺動部の底面に当接するようにすればよい。【００１８】  請求項５に記載の発明は、請求項１乃至４の内いずれか１項に記載のろ過装置であって、前記中空管に接続された逆洗ポンプを備えた構成を有している。
この構成により、請求項１乃至４の内いずれか１項の作用に加え、以下の作用を有する。
（１）中空管に接続された逆洗ポンプを有するので、清水槽等に貯留されたろ過水や水道水などを中空管に逆流させて供給することができ、セラミックフィルタの表面に凝集した懸濁物質を逆洗して除去することができる。【００１９】  ここで、逆洗ポンプでろ過水や水道水などを逆流させることにより、セラミックフィルタの表面とその表面に凝集した懸濁物質との間に水の層が形成される。このとき噴射ノズルから噴射される懸濁水の刺激（力）で懸濁物質を効果的に取除くことができる。噴射ノズルから噴射させるのは懸濁水でも清水でも構わない。セラミックフィルタの表面に凝集した懸濁物質に外力を与えることができればよいからである。
尚、逆洗ポンプによる逆洗を行う場合には、ろ過槽の圧力調整弁を開放する等してろ過槽内の圧力を抜く必要がある。
【発明の効果】
【００２０】  請求項１に記載の発明によれば、以下のような効果を有する。
（１）ろ過槽の底部内側に配設された噴射ノズル部から懸濁水を供給する懸濁水供給部を有するので、懸濁水をろ過槽の内部に噴射してろ過槽に貯留された懸濁水を攪拌することができ、懸濁物質を水と混合、分散させ、セラミックフィルタの表面で凝集させてろ過することができるろ過性能に優れたろ過装置を提供することができる。
（２）円板状のセラミックフィルタを用いることにより、外部表面側からろ過された懸濁水のろ過水を中心孔側から排出することができるので、ろ過面積が広くコンパクトでろ過性能に優れ、ろ過槽内のスペースが狭い場合でも複数のセラミックフィルタを離間して配設することができ、フィルタ面積を有効に利用することができる効率性、省スペース性に優れたろ過装置を提供することができる。
（３）セラミックフィルタが円板状に形成され、セラミックフィルタの中心孔に挿通固定された中空管からろ過水を排出することができるので、セラミックフィルタの外部表面全面で均等にろ過を行うことができるろ過効率に優れたろ過装置を提供することができる。
（４）セラミックフィルタの外部表面側でろ過を行うので、逆洗等を行うことにより、セラミックフィルタの外部表面に付着した懸濁物質等の固形分を容易に除去することができ、ろ過条件を略一定に維持して継続的に運転を行うことが可能な作業性、実用性に優れたろ過装置を提供することができる。
（５）中空管に接続されろ過水をろ過槽の外部に排出する排水部を有するので、排水部を清水槽に接続してろ過水を貯留することができ、ろ過水の有効利用を図ることができる省資源性に優れたろ過装置を提供することができる。
（６）懸濁物質回収機構が、ろ過槽の底部内側に摺動自在に配設されたスクレーパを有するので、ろ過槽の底部に堆積した懸濁物質を所定の箇所に掻き集めることができ、ろ過槽内の懸濁物質を確実に効率よく回収することができるメンテナンス性、信頼性に優れたろ過装置を提供することができる。【００２１】  請求項２に記載の発明によれば、請求項１の効果に加え、以下のような効果を有する。
（１）排泥部が、ろ過槽の底部に配設された排泥管を有するので、ろ過槽の底部に堆積した懸濁物質を確実にろ過槽の外部に排出することができるメンテナンス性、実用性に優れたろ過装置を提供することができる。
（２）排泥部が、排泥管の内部に直径方向に渡設された攪拌部材を有するので、攪拌部材に連結した回動駆動部で攪拌部材を回動させることにより、排泥管に溜まった懸濁物質をほぐして固化を防止でき、排泥管の詰まりが発生しないメンテナンス性、信頼性に優れたろ過装置を提供することができる。【００２２】  請求項３に記載の発明によれば、請求項１又は２の効果に加え、以下のような効果を有する。
（１）懸濁水供給部が、噴射ノズル部をろ過槽の長手方向と平行に摺動させる噴射ノズル摺動機構を有するので、噴射ノズル部の位置をずらしながら懸濁水を噴射、供給することができ、少ないノズルで効果的にろ過槽内部の懸濁水を攪拌して均一なろ過性能を確保することができ効率性に優れたろ過装置を提供することができる。
（２）逆洗時に噴射ノズル部を摺動させることにより、噴射ノズル部から噴射される懸濁水の力でセラミックフィルタの外部表面で凝集した粘土状の懸濁物質を除去でき、ろ過性能の回復を図ることができるメンテナンス性、信頼性に優れたろ過装置を提供することができる。【００２３】  請求項４に記載の発明によれば、請求項１乃至３の内いずれか１項の効果に加え、以下のような効果を有する。
（１）懸濁物質回収機構の摺動部が噴射ノズル部の下方に配設されているので、摺動駆動部により摺動部を摺動させても噴射ノズル部の動作の妨げになることがなく懸濁水の供給と、スクレーパによる懸濁物質の回収を平行して行うことができる効率性、作業性に優れたろ過装置を提供することができる。
（２）スクレーパの下端側が、ろ過槽の底部内面に近接して配設されているので、ろ過槽の底部に堆積した僅かな懸濁物質でも確実に掻き集めて回収することができる信頼性に優れたろ過装置を提供することができる。
（３）スクレーパが摺動部の前進方向若しくは後退方向の一方向のみに回動自在に軸支され垂設されているので、摺動部の後退時又は前進時にはスクレーパの回動を防止でき、確実に懸濁物質を掻き集めて回収することができる作業性、実用性に優れたろ過装置を提供することができる。【００２４】  請求項５に記載の発明によれば、請求項１乃至４の内いずれか１項の効果に加え、以下のような効果を有する。
（１）中空管に接続された逆洗ポンプを有するので、清水槽等に貯留されたろ過水や水道水などを中空管に逆流させて供給することができ、セラミックフィルタの表面に凝集した懸濁物質を逆洗して除去することができるメンテナンス性、信頼性に優れたろ過装置を提供することができる。
【発明を実施するための最良の形態】
【００２５】  以下、本発明の実施の形態１におけるろ過装置について、以下図面を参照しながら説明する。
（実施の形態１）
図１は実施の形態１におけるろ過装置の使用状態を示す全体斜視図である。
図１中、１は本発明の実施の形態１におけるろ過装置、１５はろ過装置１でろ過を行う懸濁水が貯留される原水槽、１５ａはろ過装置１と原水槽１５を接続する懸濁水送水管、１５ｂは懸濁水送水管１５ａの途中に配設されろ過装置１へ懸濁水を送水する送水ポンプ、２０はろ過装置１でろ過されたろ過水が貯留される清水槽、２０ａはろ過装置１と清水槽２０を接続するろ過水排水管、２０ｂはろ過水排水管２０ａの途中に配設され清水槽２０に貯留されたろ過水をろ過装置１へ逆流させる逆洗ポンプである。【００２６】  ろ過装置の詳細について説明する。
図２は実施の形態１におけるろ過装置の断面側面図であり、図３（ａ）は図２におけるＡ−Ａ線断面図であり、図３（ｂ）は図２におけるＢ−Ｂ線断面図、図４は実施の形態１におけるろ過装置の懸濁水供給部及び懸濁物質回収機構を示す斜視図である。
図２乃至４中、２はステンレス等の金属で円筒状に形成され原水槽１５から送水された懸濁水が貯留されるろ過装置１のろ過槽、２ａはろ過槽２の両端部に配設されろ過槽２を密閉する蓋部、２ｂはろ過槽２内の圧力を測定する圧力計、２ｃはろ過槽２内の圧力を調整するための圧力調整弁、２ｄはろ過槽２内の空気を排出するための空気抜き弁、３はろ過槽２の底部に形設され懸濁水送水管１５ａが接続される送水管接続部、４はろ過槽２内の底部に載置された懸濁水供給部、５は送水管接続部３に接続されろ過槽２の内部に懸濁水を供給する懸濁水供給部４の供給管、５ａは供給管５の外周に穿設された懸濁水の供給口、６は両端部が止水部６ａで水密に封止され懸濁水を貯留する懸濁水供給部４の懸濁水貯留タンク、６ｂは後述する懸濁物質回収機構８の摺動部を兼ねた懸濁水貯留タンク６の底部、７は懸濁水貯留タンク６の長手方向に配設された懸濁水供給部４の複数の噴射ノズル部、７ａは噴射ノズル部７に穿設された噴射ノズル、８は懸濁水貯留タンク６の底部６ｂに配設された懸濁物質回収機構、８ａ，８ｂはそれぞれ摺動部としての懸濁水貯留タンク６の底部６ｂに配設された軸支部８ｃにより前進方向若しくは後退方向の一方向のみに回動自在に軸支され下端側がろ過槽２の底部内面に近接して垂設された板状のスクレーパ、９はろ過槽２の外部に配設され懸濁水貯留タンク６をろ過槽２の長手方向と平行に摺動させる噴射ノズル摺動機構、１０は外周面に複数の取水孔１０ａが穿設された中空管、１０ｂは中空管１０ａの両端に配設されろ過槽２の両側長手方向に配設された支持用突起２ｅで支持された中空管１０ａの支持板、１０ｃは中空管１０ａの一端部に接続されろ過槽２の外部に開口した排水部、１１は円板状に形成されたセラミックフィルタ、１１ａはセラミックフィルタ１１の内部に放射状に形成された複数の通水路、１１ｂは中空管１０が挿通固定されたセラミックフィルタ１１の中心孔、１２は中空管１０とセラミックフィルタ１１を水密に封止する封止部、１３はろ過槽２の底部に形設された排泥部、１３ａは排泥部１３の排泥管、１３ｂは排泥管１３ａの内部に直径方向に渡設された攪拌部材、１３ｃは攪拌部材１３ｂに連結され攪拌部材１３ｂを回動させる回動駆動部、１４は排泥管１３ａの下方に配設された排泥バルブ、矢印ａはろ過時の経路、矢印ｂは逆洗時の経路である。【００２７】  以上のように構成された実施の形態１におけるろ過装置によれば、以下の作用を有する。
（１）ろ過槽２の底部内側に配設された噴射ノズル部７から懸濁水を供給する懸濁水供給部４を有するので、懸濁水をろ過槽２の内部に噴射してろ過槽２に貯留された懸濁水を攪拌することができ、懸濁物質を水と混合、分散させ、セラミックフィルタ１１の表面で疑集させてろ過することができる。
（２）円板状のセラミックフィルタ１１を用いることにより、外部表面側からろ過された懸濁水のろ過水を中心孔１１ｂ側から排出することができるので、ろ過面積が広くコンパクトでろ過性能に優れ、ろ過槽２内のスペースが狭い場合でも複数のセラミックフィルタ１１を離間して配設することができ、フィルタ面積を有効に利用して、効率的に懸濁水を処理できる。
（３）セラミックフィルタ１１が円板状に形成され、セラミックフィルタ１１の中心孔１１ｂに挿通固定された中空管１０からろ過水を排出することができるので、セラミックフィルタ１１の外部表面全面で均等にろ過を行うことができ、ろ過効率に優れる。
（４）セラミックフィルタ１１の外部表面側でろ過を行うので、逆洗等を行うことにより、セラミックフィルタ１１の外部表面に付着した懸濁物質等の固形分を容易に除去することができ、ろ過条件を略一定に維持して継続的に運転を行うことが可能になる。
（５）中空管１０に接続されろ過水をろ過槽２の外部に排出する排水部１０ｃを有するので、排水部１０ｃを清水槽２０に接続してろ過水を貯留することができ、ろ過水の有効利用を図ることができる。
（６）懸濁物質回収機構８が、ろ過槽２の底部内側に摺動自在に配設されたスクレーパ８ａを有するので、ろ過槽２の底部に堆積した懸濁物質を所定の箇所に掻き集めることができ、ろ過槽２内の懸濁物質を確実に効率よく回収することができる。
（７）排泥部１３が、ろ過槽２の底部に配設された排泥管１３ａを有するので、ろ過槽２の底部に堆積した懸濁物質を確実にろ過槽２の外部に排出することができる。
（８）排泥部１３が、排泥管１３ａの内部に直径方向に渡設された攪拌部材１３ｂを有するので、攪拌部材１３ｂに連結した回動駆動部１３ｂで攪拌部材１３ｂを回動させることにより、排泥管１３ａに溜まった懸濁物質をほぐして固化を防止でき、排泥管１３ａの詰まりが発生せずメンテナンス性に優れる。
（９）懸濁水供給部４が、噴射ノズル部７が配設された懸濁水貯留タンク６をろ過槽２の長手方向と平行に摺動させる噴射ノズル摺動機構９を有するので、噴射ノズル部７の位置をずらしながら懸濁水を噴射、供給することができ、少ないノズル７ａで効果的にろ過槽２内部の懸濁水を攪拌して均一なろ過性能を確保することができる。
（１０）逆洗時に噴射ノズル部７を摺動させることにより、噴射ノズル部７から噴射される懸濁水の力でセラミックフィルタｌ１の外部表面で凝集した粘土状の懸濁物質が膜状に剥がれ落ち、ろ過性能の回復を図ることができる。
（１１）懸濁物質回収機構８の摺動部としての懸濁水貯留タンク６の上面に噴射ノズル部７が配設されているので、噴射ノズル摺動機構９により懸濁水貯留タンク６と共にスクレーパ８ａ，８ｂを摺動させても噴射ノズル部７の動作の妨げになることがなく懸濁水の供給と、スクレーパ８ａ，８ｂによる懸濁物質の回収を平行して行うことができる。
（１２）スクレーパ８ａ，８ｂの下端側が、ろ過槽２の底部内面に近接して配設されているので、ろ過槽２の底部に堆積した僅かな懸濁物質でも確実に掻き集めて回収することができる。
（１３）スクレーパ８ａ，８ｂが懸濁水貯留タンク６の前進方向若しくは後退方向の一方向のみに回動自在に軸支され垂設されているので、懸濁水貯留タンク６の後退時又は前進時にはスクレーパ８ａ，８ｂの回動を防止でき、確実に懸濁物質を掻き集めて回収することができる。
（１４）中空管１０に接続された逆洗ポンプ２０ｂを有するので、清水槽２０等に貯留されたろ過水や水道水などを中空管１０に逆流させて供給することができ、セラミックフィルタ１１の表面に凝集した懸濁物質を逆洗して除去することができる。
【産業上の利用可能性】
【００２８】  本発明は、湖沼、池、河川等の泥水や河川工事、下水工事等の各種建設土木工事等で発生する汚水等の懸濁水を回収し、ろ過することができ、懸濁物質を分離回収してろ過水を農業用水や工業用水等として有効利用できると共に、長期間に渡って継続運転が可能でろ過性能の安定性、装置の耐久性、メンテナンス性に優れたろ過装置を提供できる。
【図面の簡単な説明】
【００２９】
【図１】実施の形態１におけるろ過装置の使用状態を示す全体斜視図
【図２】実施の形態１におけるろ過装置の断面側面図
【図３】（ａ）図２におけるＡ−Ａ線断面図（ｂ）図２におけるＢ−Ｂ線断面図
【図４】実施の形態１におけるろ過装置の懸濁水供給部及び懸濁物質回収機構を示す斜視図
【符号の説明】
【００３０】１  ろ過装置
２  ろ過槽
２ａ  蓋部
２ｂ  圧力計
２ｃ  圧力調整弁
２ｄ  空気抜き弁
２ｅ  支持用突起
３  送水管接続部
４  懸濁水供給部
５  供給管
５ａ  供給口
６  懸濁水貯留タンク
６ａ  止水部
６ｂ  底部
７  噴射ノズル部
７ａ  噴射ノズル
８  懸濁物質回収機構
８ａ，８ｂ  スクレーパ
８ｃ  軸支部
９  噴射ノズル摺動機構
１０  中空管
１０ａ  取水孔
１０ｂ  支持板
１０ｃ  排水部
１１  セラミックフィルタ
１１ａ  通水路
１１ｂ  中心孔
１２  封止部
１３  排泥部
１３ａ  排泥管
１３ｂ  攪拌部材
１３ｃ  回動駆動部
１４  排泥バルブ
１５  原水槽
１５ａ  懸濁水送水管
１５ｂ  送水ポンプ
２０  清水槽
２０ａ  ろ過水排水管
２０ｂ  逆洗ポンプ
【図１】
2006305538.tif 000003
【図２】
2006305538.tif 000004
【図３】
2006305538.tif 000005
【図４】
2006305538.tif 000006